(57)【要約】【課題】ブラシに内容物を吐出することと、ブラシ以外の部位から内容物を吐出することとを容易に切り替えることができ、操作性を向上させることができる吐出器を提供すること。【解決手段】ステム１２を有する吐出機構１３と、押下ヘッド１４と、ブラシ１５とを備える吐出器１０であって、押下ヘッド１４には、ブラシ領域に開口する第１吐出孔８１と、ブラシ領域とは異なる他の領域に、第１吐出孔８１が開口する方向とは異なる方向に開口する第２吐出孔８２とが形成され、押下ヘッド１４は、ステム１２に対して、第１吐出孔８１とステム１２内とが連通し、かつ、第２吐出孔８２とステム１２内との連通が遮断される第１吐出位置と、第２吐出孔８２とステム１２内とが連通し、かつ、第１吐出孔８１とステム１２内との連通が遮断される第２吐出位置と、の間を移動自在に装着されていることを特徴とする。【選択図】図１
2014009004.tif 000002
【特許請求の範囲】
【請求項１】
内容物が収容される容器本体の口部に、上方付勢状態で下方移動可能に立設されるステムを有する吐出機構と、
前記ステムに装着された押下ヘッドと、
該押下ヘッドに配設されたブラシと、を備える吐出器であって、
前記押下ヘッドには、
前記ブラシが配設されたブラシ領域に開口する第１吐出孔と、
前記ブラシ領域とは異なる他の領域に、前記第１吐出孔が開口する方向とは異なる方向に開口する第２吐出孔と、が形成され、
前記押下ヘッドは、前記ステムに対して、
前記第１吐出孔と前記ステム内とが連通し、かつ、前記第２吐出孔と前記ステム内との連通が遮断される第１吐出位置と、
前記第２吐出孔と前記ステム内とが連通し、かつ、前記第１吐出孔と前記ステム内との連通が遮断される第２吐出位置と、の間を移動自在に装着されていることを特徴とする吐出器。
【請求項２】
請求項１に記載の吐出器であって、
前記ステムには、
前記第１吐出孔と該ステム内とを連通する第１連通孔と、
前記第２吐出孔と該ステム内とを連通する第２連通孔と、が形成されていることを特徴とする吐出器。
【請求項３】
請求項１又は２に記載の吐出器であって、
前記第１吐出孔は、上方に向けて開口され、前記第２吐出孔は、上下方向に交差する側方に向けて開口されていることを特徴とする吐出器。
【請求項４】
請求項１〜３のいずれか一項に記載の吐出器であって、
前記ステムに対して、前記押下ヘッドを前記第１吐出位置又は前記第２吐出位置に位置決めする位置決め部が設けられることを特徴とする吐出器。
【請求項５】
請求項１〜４のいずれか一項に記載の吐出器であって、
前記押下ヘッドは、前記ステムに対して当該吐出器の軸線回りに回転することで、前記第１吐出位置と前記第２吐出位置との間を移動する構成とされたことを特徴とする吐出器。
【請求項６】
請求項１〜５のいずれか一項に記載の吐出器であって、
前記吐出機構は、
前記ステムに連係して上下動する空気用ピストン及び液用ピストンと、
内部に前記空気用ピストンが上下摺動可能に配設された空気用シリンダと、
内部に前記液用ピストンが上下摺動可能に配設された液用シリンダと、
前記空気用シリンダから移送される空気と前記液用シリンダから移送される内容物とを混合する気液混合室と、
前記気液混合室で混合された気液混合体を発泡させて内容物を泡状にする発泡部材と、を備えていることを特徴とする吐出器。
【発明の詳細な説明】
【技術分野】
【０００１】
本発明は、吐出器に関するものである。
【背景技術】
【０００２】
従来から、例えば下記特許文献１に示されるような、内容物が収容される容器本体の口部に、上方付勢状態で下方移動可能に立設されるステムを有する吐出機構と、ステムに装着されるとともに吐出口が形成された押下ヘッドと、押下ヘッドに配設されたブラシと、を備える吐出器が知られている。この吐出器は、押下ヘッドを押し下げてステムを下方に移動させ、吐出機構を作動させることにより、容器本体内の内容物を例えば泡状にして吐出口からブラシに吐出する。
【先行技術文献】
【特許文献】
【０００３】
【特許文献１】特開２００９−３５２６５号公報
【発明の概要】
【発明が解決しようとする課題】
【０００４】
しかしながら、前記従来の吐出器では、ブラシを介さずに内容物を受け具や手などに直接吐出する場合には、例えば吐出器に対してブラシ付きの押下ヘッドをブラシの無い押下ヘッドに取り替える必要があり、操作が複雑になるおそれがある。
【０００５】
本発明は、このような事情に鑑みてなされたものであって、ブラシに内容物を吐出することと、ブラシ以外の部位から内容物を吐出することとを容易に切り替えることができ、操作性を向上させることができる吐出器を提供することを目的としている。
【課題を解決するための手段】
【０００６】
前記課題を解決するために、本発明は以下の手段を提案している。
本発明は、内容物が収容される容器本体の口部に、上方付勢状態で下方移動可能に立設されるステムを有する吐出機構と、前記ステムに装着された押下ヘッドと、該押下ヘッドに配設されたブラシと、を備える吐出器であって、前記押下ヘッドには、前記ブラシが配設されたブラシ領域に開口する第１吐出孔と、前記ブラシ領域とは異なる他の領域に、前記第１吐出孔が開口する方向とは異なる方向に開口する第２吐出孔と、が形成され、前記押下ヘッドは、前記ステムに対して、前記第１吐出孔と前記ステム内とが連通し、かつ、前記第２吐出孔と前記ステム内との連通が遮断される第１吐出位置と、前記第２吐出孔と前記ステム内とが連通し、かつ、前記第１吐出孔と前記ステム内との連通が遮断される第２吐出位置と、の間を移動自在に装着されていることを特徴とする。
【０００７】
本発明の吐出器によれば、押下ヘッドが、ステムに対して前記第１吐出位置と前記第２吐出位置との間を移動自在に装着されているので、内容物をブラシに吐出することと、押下ヘッドをこの吐出器に装着した状態のまま、内容物を受け具や手などに直接吐出することと、を選択することが可能である。
【０００８】
すなわち、ブラシを介した吐出である第１吐出位置と、ブラシを介さない吐出である第２吐出位置とを、押下ヘッドを吐出器から離脱して取り替えるような面倒な操作を伴うことなく、押下ヘッドをステムに対して移動させるのみの簡単な操作により切り替えることができ、操作性を向上させることができる。
【０００９】
また、本発明に係る吐出器において、前記ステムには、前記第１吐出孔と該ステム内とを連通する第１連通孔と、前記第２吐出孔と該ステム内とを連通する第２連通孔と、が形成されていることとしてもよい。
【００１０】
この場合、押下ヘッドが第１吐出位置にあるときは、該押下ヘッドの第１吐出孔とステムの第１連通孔とが連通し、押下ヘッドが第２吐出位置にあるときは、該押下ヘッドの第２吐出孔とステムの第２連通孔とが連通するので、複雑な構造を採用せず、簡単な構造で前述の効果を奏することができる。
【００１１】
また、本発明に係る吐出器において、前記第１吐出孔は、上方に向けて開口され、前記第２吐出孔は、上下方向に交差する側方に向けて開口されていることとしてもよい。
【００１２】
この場合、ブラシに内容物を吐出する第１吐出孔が、上方に向けて開口されているので、ブラシに吐出された内容物が垂れ落ちるのを抑えることが可能になる。また、第２吐出孔が、側方に向けて開口されているので、内容物を受け具や手などに直接吐出しやすい。
【００１３】
また、本発明に係る吐出器において、前記ステムに対して、前記押下ヘッドを前記第１吐出位置又は前記第２吐出位置に位置決めする位置決め部が設けられることとしてもよい。
【００１４】
この場合、ステムに対して押下ヘッドを第１吐出位置又は第２吐出位置に切り替える操作がより簡単となる。
【００１５】
また、本発明に係る吐出器において、前記押下ヘッドは、前記ステムに対して当該吐出器の軸線回りに回転することで、前記第１吐出位置と前記第２吐出位置との間を移動する構成とされたこととしてもよい。
【００１６】
この場合、前述の作用効果を奏しつつ、吐出器をコンパクトに構成でき、かつ、操作性がよい。
【００１７】
また、本発明に係る吐出器において、前記吐出機構は、前記ステムに連係して上下動する空気用ピストン及び液用ピストンと、内部に前記空気用ピストンが上下摺動可能に配設された空気用シリンダと、内部に前記液用ピストンが上下摺動可能に配設された液用シリンダと、前記空気用シリンダから移送される空気と前記液用シリンダから移送される内容物とを混合する気液混合室と、前記気液混合室で混合された気液混合体を発泡させて内容物を泡状にする発泡部材と、を備えていることとしてもよい。
【００１８】
この場合、吐出機構が、前記空気用ピストンと、前記液用ピストンと、前記空気用シリンダと、前記液用シリンダと、前記気液混合室と、前記発泡部材と、を備えたいわゆる泡吐出用のポンプ機構を採用しており、前述の作用効果が顕著に奏功されることとなる。
【発明の効果】
【００１９】
本発明の吐出器によれば、ブラシに内容物を吐出することと、ブラシ以外の部位から内容物を吐出することとを容易に切り替えることができ、操作性を向上させることができる。
【図面の簡単な説明】
【００２０】
【図１】本発明の一実施形態に係る吐出器を備える吐出容器を示す縦断面図であり、該吐出器において押下ヘッドの第２吐出位置を表す図である。
【図２】図１の吐出器の上面図である。
【図３】図１の吐出容器の吐出器において押下ヘッドの第１吐出位置を表す図である。
【図４】図１の吐出容器の吐出器を示す正面図である。
【図５】図１の吐出容器の吐出器の変形例を示す縦断面図であり、該吐出器において押下ヘッドの第２吐出位置を表す図である。
【図６】図５の吐出容器の吐出器において押下ヘッドの第１吐出位置を表す図である。
【図７】図１の吐出容器の吐出器の変形例を示す縦断面図であり、該吐出器において押下ヘッドの第２吐出位置を表す図である。
【図８】図７の吐出容器の吐出器において押下ヘッドの第１吐出位置を表す図である。
【発明を実施するための形態】
【００２１】
以下、図面を参照し、本発明の一実施形態に係る吐出器を備える吐出容器を説明する。
図１〜図４に示すように、吐出容器１は、液状の内容物が収容される容器本体２と、容器本体２に装着される吐出器１０と、を備えている。
【００２２】
吐出器１０は、容器本体２の口部３に装着される装着キャップ１１と、該装着キャップ１１内に上方付勢状態で下方移動可能に挿通されたステム１２を有するポンプ（吐出機構）１３と、ステム１２に装着された押下ヘッド１４と、押下ヘッド１４に配設されたブラシ１５と、ブラシ１５を覆うオーバーキャップ１６と、を備えている。
そして、吐出器１０は、押下ヘッド１４を押し下げてステム１２を下方に移動させ、ポンプ１３を作動させることにより、容器本体２内の内容物を移送するとともに空気と混合させ、これらの気液混合体が発泡されてなる泡状の内容物（以下、泡体という）を、押下ヘッド１４の後述する第１吐出孔８１又は第２吐出孔８２から吐出するように構成されている。
【００２３】
ここで、容器本体２、装着キャップ１１、ステム１２及びオーバーキャップ１６の各中心軸線は、共通軸上に位置している。以下、この共通軸を軸線Ｏといい、軸線Ｏに沿う方向を上下方向といい、上下方向に沿った容器本体２の底部側を下側といい、下側の反対側を上側といい、軸線Ｏに直交する方向を径方向といい、軸線Ｏ回りに周回する方向を周方向という。
【００２４】
装着キャップ１１は、容器本体２の口部３に螺着される下筒部１７と、該下筒部１７よりも小径の上筒部１８とが、連結段部１９を介して連結された２段筒状をなしている。
上筒部１８には、押下ヘッド１４の下方への移動を規制する規制部材８が、着脱可能に装着されている。規制部材８は、当該吐出器１０を上方から見た上面視においてＣ字状をなし、上筒部１８に着脱可能に外嵌されており、該規制部材８には、径方向の外側に向けて把持部９が突設されている。
【００２５】
ポンプ１３は、前記ステム１２と、ステム１２に連係して上下動する空気用ピストン２２及び液用ピストン２３と、内部に空気用ピストン２２が上下摺動可能に配設された空気用シリンダ２４と、内部に液用ピストン２３が上下摺動可能に配設された液用シリンダ２５と、空気用シリンダ２４から移送される空気と液用シリンダ２５から移送される内容物とを混合する気液混合室２６と、気液混合室２６で混合された気液混合体を発泡させて内容物を泡状にする発泡部材５４と、を備えている。
尚、空気用ピストン２２、液用ピストン２３、空気用シリンダ２４及び液用シリンダ２５は、いずれも前記軸線Ｏと同軸の筒状に形成されている。
【００２６】
空気用シリンダ２４は、装着キャップ１１の前記連結段部１９の外周縁部と容器本体２の口部３の開口端部との間に上下方向に挟持される環状の取付け部２７と、取付け部２７の内周縁から下方に向けて延設された周壁部２８と、周壁部２８から径方向の内側に向けて突設された環状の底壁部２９と、を備えている。図１に示される縦断面視において、底壁部２９は、周壁部２８から径方向内側に向かうに従い漸次上方に向けて延在している。
【００２７】
液用シリンダ２５は、空気用シリンダ２４と一体に形成されている。液用シリンダ２５は、空気用シリンダ２４の底壁部２９の内周縁から下方に向けて延設された基筒部３０と、基筒部３０の下端から下方に向けて連設され、下方に向かうに従い漸次縮径するテーパ部３１と、を備えている。また、液用シリンダ２５における基筒部３０とテーパ部３１との連結部分の内周面には、上下方向に延在する縦リブ３２が、周方向に間隔をあけて複数突設されている。さらにテーパ部３１の下端には、前記軸線Ｏと同軸に配置された垂下筒３３が、下方に向けて連設されている。
【００２８】
液用ピストン２３は、液用シリンダ２５内に液密状態で上下摺動可能に嵌合する大径部３４と、下端が大径部３４に連結された小径部３５と、を備えている。また液用ピストン２３は、当該液用ピストン２３における大径部３４と小径部３５との連結部分と、液用シリンダ２５の前記縦リブ３２と、の間に介装された付勢部材３６により、上方に付勢されている。尚、付勢部材３６としては、例えばコイルスプリングや樹脂バネ等を採用することができる。
【００２９】
ここで、液用ピストン２３、液用シリンダ２５及び付勢部材３６内には、棒状の弁部材３７が挿通されている。弁部材３７の上端部には、液用ピストン２３の上端部に形成された弁座部３８に、該弁座部３８の上方から着座する中空逆円錐状の上部弁体３９が、該弁座部３８に離間可能に形成されている。弁部材３７の下端部には、液用シリンダ２５のテーパ部３１から上方に離間する下部弁体４０が、該テーパ部３１に着座可能に形成されている。また、下部弁体４０の外周面には、液用シリンダ２５の前記縦リブ３２の間に配置されるガイド凸部４１が突設されている。
【００３０】
ステム１２は、下ステム２０と、後述する上ステム２１と、を備えている。
下ステム２０は、空気用シリンダ２４内に挿通されており、下ステム２０の下端部は、液用ピストン２３の小径部３５に外嵌されている。また、下ステム２０には、径方向の外側に向けて突出する環状のフランジ部４２と、径方向の内側に向けて突出する環状の台座部４３とが、下方からこの順に上下方向に間隔をあけて配置されている。そして、下ステム２０のうち、台座部４３よりも上側に位置する上端部は、装着キャップ１１の上筒部１８内に配置されている。
【００３１】
気液混合室２６は、下ステム２０内に配設されており、本実施形態では、下ステム２０の前記上端部内とされている。気液混合室２６内には、台座部４３に着座する球状の液吐出弁４４が設けられており、該液吐出弁４４は、台座部４３に離間可能に形成されている。
【００３２】
空気用ピストン２２は、下ステム２０に外装された内筒部４５と、空気用シリンダ２４内に嵌合された外筒部４６と、これらの内筒部４５と外筒部４６とを連結する連結部４７と、を備えている。
連結部４７は、内筒部４５及び外筒部４６それぞれにおける上下方向の中央部同士を全周にわたって連結する環状に形成され、連結部４７には、空気用シリンダ２４の内部のうち、当該連結部４７よりも上方に画成される上室４８内と、当該連結部４７よりも下方に画成される下室４９内と、を連通する貫通孔５０が形成されている。尚、貫通孔５０は１つ以上形成されていればよく、その形状、数は適宜選択することができる。
【００３３】
内筒部４５は、下ステム２０において前記フランジ部４２よりも上側に位置し、かつ前記台座部４３よりも下側に位置する摺動部分５１に、上下摺動可能に外嵌されており、内筒部４５の下端縁は、フランジ部４２に離間可能に着座している。尚、前記摺動部分５１の外周面には、上方に向けて開口するとともに下室４９に連通可能な第１連通溝６６が上下方向に延設されている。第１連通溝６６は、フランジ部４２に空気用ピストン２２の内筒部４５が着座することで、下室４９との連通が遮断されている。
【００３４】
また、内筒部４５において連結部４７との連結部分よりも下側に位置する部分には、弁筒部５２が嵌合されている。弁筒部５２の外周面には、前記貫通孔５０を開閉する弾性変形可能な環状の外気導入弁５３が突設されており、外気導入弁５３の外周縁部は連結部４７の下面に離間可能に密接している。
【００３５】
発泡部材５４は、下ステム２０の上端部に装着された筒状のケーシング５５と、ケーシング５５内に装着された２つの発泡エレメント５６と、を備えている。
ケーシング５５は、拡径部５７と縮径部５８とが段部を介して連結されてなり、ケーシング５５の縮径部５８は、下ステム２０の上端部内に嵌合されている。そして、縮径部５８の外周面及び前記段部には、気液混合室２６に連通するとともに径方向の外側に向けて開口する第２連通溝６７が形成されている。発泡エレメント５６は、拡径部５７内に装着されており、これらの発泡エレメント５６のうち、下側の発泡エレメント５６は、筒体の下側開口面にメッシュ体が張設されてなり、上側の発泡エレメント５６は、筒体の上側開口面にメッシュ体が張設されてなる。
【００３６】
上ステム２１は、有頂筒状をなしており、天壁２１ａと、周壁２１ｂと、を備えている。上ステム２１の周壁２１ｂは、装着キャップ１１の上筒部１８内に挿通されるとともに、発泡部材５４のケーシング５５の前記拡径部５７、及び下ステム２０の上端部に外嵌されている。また、周壁２１ｂの下端部は、この上ステム２１において該下端部よりも上側に位置し、かつ下ステム２０の上端部に外嵌された外嵌部分６４よりも内径が大きくなっている。そして、周壁２１ｂの下端部は、空気用ピストン２２の内筒部４５のうち、連結部４７との連結部分よりも上側に位置する上端部に、上下摺動可能に外嵌している。さらに、周壁２１ｂの下端縁と、連結部４７との間には、上下方向の隙間があいている。
【００３７】
上ステム２１の前記外嵌部分６４の内周面には、第１連通溝６６及び第２連通溝６７に各別に開口する第３連通溝６８が上下方向に延設されている。これらの第１連通溝６６、第２連通溝６７及び第３連通溝６８は、前記下室４９と前記気液混合室２６とを連通可能な空気導入路６５を構成している。
【００３８】
また、上ステム２１において、前記外嵌部分６４よりも上側に位置する部分の内部は、下端開口部を通して下ステム２０内に連通する流通路６２とされている。図示の例では、流通路６２の下端開口部は、発泡部材５４を通して下ステム２０内に連通している。
【００３９】
上ステム２１の周壁２１ｂの外周面における前記外嵌部分６４及びその上側に位置し、かつ該上ステム２１の上端部より下側に位置する中間部には、周方向に間隔をあけて複数の規制リブ５９が突設されているとともに、これら規制リブ５９は軸線Ｏ方向に沿って延びている。これら規制リブ５９は、装着キャップ１１の上筒部１８の内周面に形成された複数の溝６０内にそれぞれ係合しており、これにより上ステム２１と装着キャップ１１との軸線Ｏ回りの相対回転が規制されている。
【００４０】
上ステム２１の周壁２１ｂの内周面における上側部分には、軸線Ｏ方向に沿って延びるリブ６１が周方向に間隔をあけて複数突設されている。リブ６１の下端縁は、ケーシング５５の拡径部５７に上側から当接している。
【００４１】
上ステム２１の天壁２１ａには、該天壁２１ａを軸線Ｏ方向に貫通する第１連通孔７１が、該天壁２１ａにおける外周縁と軸線Ｏとの間に形成されている。また、上ステム２１の周壁２１ｂの上端部には、該周壁２１ｂを径方向に貫通する第２連通孔７２が形成されている。第１連通孔７１は、上ステム２１内の流通路６２と押下ヘッド１４の後述する第１吐出孔８１とを連通可能に形成され、第２連通孔７２は、上ステム２１内の流通路６２と押下ヘッド１４の後述する第２吐出孔８２とを連通可能に形成されている。本実施形態では、これら第１連通孔７１及び第２連通孔７２の周方向に沿う位置が、互いに同じ位置となっている。
【００４２】
押下ヘッド１４は、上ステム２１の上端部に外装された装着筒部７３と、該装着筒部７３の上端部から径方向の外側に向けて突設された環状の頂壁部７４と、該頂壁部７４の外周縁から下方に向けて突設された操作筒部７５と、これら装着筒部７３と操作筒部７５との間に位置して頂壁部７４から下方に向けて突設され、装着筒部７３を径方向の外側から囲繞する囲繞筒部７６と、装着筒部７３の周壁７３ｂから径方向外側へ向けて突設されるとともに、該装着筒部７３内と当該吐出器１０の外部とを連通する吐出筒部７７と、この吐出器１０のブラシ領域とされた装着筒部７３の天壁７３ａ上及び頂壁部７４上に植設される前記ブラシ１５と、を備えている。これらの装着筒部７３、頂壁部７４、操作筒部７５及び囲繞筒部７６は、前記軸線Ｏと同軸に配置されている。
【００４３】
装着筒部７３は、上ステム２１に対して周方向に回動可能に装着されている。装着筒部７３は、有頂筒状をなしており、天壁７３ａと、周壁７３ｂと、を備えている。装着筒部７３の天壁７３ａは、上ステム２１の天壁２１ａに上方から摺動可能に密接しており、装着筒部７３の周壁７３ｂは、上ステム２１の周壁２１ｂに径方向外側から摺動可能に密接している。
【００４４】
装着筒部７３の天壁７３ａには、該天壁７３ａを軸線Ｏ方向に貫通する第１吐出孔８１が、該天壁７３ａにおける外周縁と軸線Ｏとの間に形成されて、前記ブラシ領域に開口している。第１吐出孔８１は、上方に向けて開口されており、天壁７３ａには、該第１吐出孔８１を覆うように有頂筒状の拡散カバー７８が立設されている。拡散カバー７８の周壁には、該周壁を径方向に貫通するとともに、その周方向に間隔をあけて孔７８ａが複数形成されている。
【００４５】
装着筒部７３の周壁７３ｂの下端部は、周方向に間隔をあけて切り欠かれており、この切り欠き部分において周方向を向く端面７９が、上ステム２１の規制リブ５９の上端部に周方向から当接可能とされている。周壁７３ｂの前記端面７９が規制リブ５９に対して周方向の一方側又は他方側から当接することで、上ステム２１に対して、押下ヘッド１４が後述する第１吐出位置又は前記第２吐出位置に位置決めされるようになっている。これらの端面７９及び規制リブ５９は、上ステム２１に対する押下ヘッド１４の周方向位置を決める位置決め部を構成している。図１及び図３において、押下ヘッド１４は、上ステム２１に対して軸線Ｏ回りに１８０°程度回転可能である一方、前記位置決め部によりそれ以上の回転が規制されている。
【００４６】
図１に示される縦断面図において、頂壁部７４は、径方向外側へ向かうに従い漸次上方へ向けて延びている。図示の例では、装着筒部７３の天壁７３ａが、頂壁部７４から一段上方に突出している。
図２及び図４に示されるように、操作筒部７５の下端部には、径方向外側へ向けて突出する操作片８０が、周方向に間隔をあけて対向するように一対形成されている。
【００４７】
図１において、囲繞筒部７６の下端部内には、装着キャップ１１の上筒部１８の上端から径方向の外側に向けて環状に突出する突状部８３に当接するリング状部８４が嵌合されており、押下ヘッド１４内への例えば内容物などの液体の浸入が規制されている。
【００４８】
図１において、吐出筒部７７は、径方向外側に向かうに従い漸次拡径しており、該吐出筒部７７の径方向外側の端部は、操作筒部７５から径方向外側に突設されている。図４に示される正面視で、吐出筒部７７は略矩形状をなしているが、それ以外の多角形状や円形状等であってもよい。図１において、吐出筒部７７の内部は、前記ブラシ領域とは異なる他の領域に、かつ、前記第１吐出孔８１が開口する方向とは異なる方向に開口する第２吐出孔８２となっている。
【００４９】
具体的に、第１吐出孔８１が上方に向けて開口しているのに対し、第２吐出孔８２は、上下方向に交差する側方に向けて開口されている。尚、図１に示される例では、第２吐出孔８２は、軸線Ｏに直交する径方向に開口されているが、軸線Ｏ方向に交差する側方に開口されればよいことから、それ以外の斜め上方や斜め下方に向けて開口されていてもよい。本実施形態では、押下ヘッド１４の第１吐出孔８１と第２吐出孔８２の周方向に沿う位置が、軸線Ｏを挟んで互いに反対の位置となっている。
【００５０】
そして、押下ヘッド１４は、上ステム２１に対して、第１吐出孔８１と該上ステム２１内とが連通し、かつ、第２吐出孔８２と上ステム２１内との連通が遮断される第１吐出位置（図３に示される状態）と、第２吐出孔８２と上ステム２１内とが連通し、かつ、第１吐出孔８１と上ステム２１内との連通が遮断される第２吐出位置（図１に示される状態）と、の間を移動自在に装着されている。具体的に、押下ヘッド１４は、上ステム２１に対して当該吐出器１０の軸線Ｏ回りに回転することで、前記第１吐出位置と前記第２吐出位置との間を移動する構成とされている。
【００５１】
ブラシ１５は、装着筒部７３の天壁７３ａ、及び頂壁部７４から上方に向けて延設されており、図２に示される例では、第１吐出孔８１を径方向の外側から囲繞するように多重円環状に、かつ周方向に間隔をあけて複数配置されている。
図１において、オーバーキャップ１６は、有頂筒状に形成されるとともに押下ヘッド１４に着脱可能に装着され、図示の例では、オーバーキャップ１６の下端部が、押下ヘッド１４の操作筒部７５に着脱可能に外嵌されている。
【００５２】
以上のように構成された吐出容器１では、使用前においては、規制部材８により押下ヘッド１４の下方に向けた移動が規制されている。
そこで、当該吐出容器１の使用時には、規制部材８の把持部９を把持して、装着キャップ１１の上筒部１８から該規制部材８を径方向に相対的に移動させ、装着キャップ１１から規制部材８を離脱させる。
【００５３】
また、吐出容器１から泡体を吐出させる前に、操作者が、泡体をブラシ１５に吐出して使用するか、吐出筒部７７から直接吐出して使用するかを選択する。
泡体をブラシ１５に吐出して使用する場合は、図３に示されるように、オーバーキャップ１６を押下ヘッド１４から取り外し、該押下ヘッド１４を、上ステム２１及び容器本体２に対して軸線Ｏ回りに回転させ、前記第１吐出位置に配置することで、第１吐出孔８１と第１連通孔７１とを連通させる。このとき、第２吐出孔８２と第２連通孔７２との連通は遮断されている。
【００５４】
次いで、図４に矢印で示すように、押下ヘッド１４の操作筒部７５の操作片８０を下方へ押し下げると、上ステム２１、下ステム２０及び液用ピストン２３が一体的に押し下げられる。このとき、空気用ピストン２２の内筒部４５が下ステム２０の前記摺動部分５１の外周面上を摺動するとともに、該内筒部４５の上端部が上ステム２１の内周面上を摺動することにより、空気用ピストン２２の上下方向の位置が保持されることから、下ステム２０のフランジ部４２と、空気用ピストン２２の内筒部４５の下端縁との間に、前記第１連通溝６６と前記下室４９とを連通する図示しない連通隙間が設けられる。これにより、下室４９と気液混合室２６とが、該連通隙間および前記空気導入路６５を通して連通される。
またこのとき、弁部材３７も下方に移動させられ、弁部材３７の下部弁体４０が液用シリンダ２５のテーパ部３１に着座して、液用シリンダ２５の下端開口部が閉塞される。
【００５５】
そして、上ステム２１の下端縁が、空気用ピストン２２の連結部４７に当接するまで押下ヘッド１４を押し下げると、押下ヘッド１４とともに空気用ピストン２２が下方に移動し、空気用ピストン２２の外筒部４６が、空気用シリンダ２４の周壁部２８の内周面上を、下方に向けて摺動する。このとき、空気用ピストン２２の弁筒部５２の外気導入弁５３は、連結部４７の下面に密接されたままの状態であり、前記貫通孔５０は閉塞されている。これにより、下室４９内の空気が圧縮され、この空気が、前記連通隙間及び空気導入路６５を通して気液混合室２６に移送される。
またこのとき、液用シリンダ２５の下端開口部が閉塞された状態で、付勢部材３６を圧縮変形させつつ、液用ピストン２３を下方に移動させて、弁部材３７の上部弁体３９を液用ピストン２３の弁座部３８から離間させることにより、液用シリンダ２５の内部と下ステム２０の内部とが連通される。これにより、液用シリンダ２５内の内容物が、弁座部３８の内側及び上部弁体３９の外側を通過して下ステム２０内の気液混合室２６に移送される。
【００５６】
以上のように、押下ヘッド１４を押し下げることにより、気液混合室２６に空気及び内容物がそれぞれ移送され、これらは気液混合室２６で合流して混合される。この気液混合体は、発泡部材５４のケーシング５５内に移送され、下側の発泡エレメント５６のメッシュ体および上側の発泡エレメント５６のメッシュ体を順次通過することで発泡させられて泡体になり、流通路６２、第１連通孔７１及び第１吐出孔８１を流通して、泡体が拡散カバー７８の孔７８ａから前記ブラシ領域のブラシ１５に吐出される。
【００５７】
その後、押下ヘッド１４の押し下げを解除すると、付勢部材３６の弾性復元力により液用ピストン２３が上方に押し上げられる。これにより、液用ピストン２３の弁座部３８が弁部材３７の上部弁体３９に当接して弁座部３８が閉じられ、気液混合室２６への内容物の移送が停止される。
また、このように上昇する液用ピストン２３とともに、下ステム２０、上ステム２１及び押下ヘッド１４が一体的に上昇し、下ステム２０のフランジ部４２が空気用ピストン２２の内筒部４５の下端縁に当接することで、空気導入路６５を通した下室４９と気液混合室２６との連通が遮断され、気液混合室２６への空気の移送が停止される。尚、その後、付勢部材３６の弾性復元力により、空気用ピストン２２が押し上げられることで、前記下室４９内が負圧状態となり、空気用ピストン２２の弁筒部５２の外気導入弁５３が下方に弾性変形させられて、前記貫通孔５０が開放され、該貫通孔５０及び前記上室４８を通して下室４９内に外気が供給される。
【００５８】
そして、ブラシ１５に吐出された泡体を、容器本体２を把持するなどして、該ブラシ１５から所望の被塗布部に塗布する。
【００５９】
一方、泡体をブラシ１５を介さずに吐出筒部７７から直接吐出して使用する場合は、図１に示されるように、押下ヘッド１４を、上ステム２１及び容器本体２に対して軸線Ｏ回りに回転させ、前記第２吐出位置に配置することで、第２吐出孔８２と第２連通孔７２とを連通させる。このとき、第１吐出孔８１と第１連通孔７１との連通は遮断されている。尚、この場合、オーバーキャップ１６は押下ヘッド１４に装着した状態でも、取り外した状態でもよいが、該オーバーキャップ１６を押下ヘッド１４に装着した状態として、このオーバーキャップ１６を介して押下ヘッド１４を押し下げることで、押し下げ操作が安定し容易であることから好ましい。
【００６０】
押下ヘッド１４を押し下げることにより、前述と同様の作用によって、気液混合室２６で混合された気液混合体が発泡部材５４を通過して泡体となり、流通路６２、第２連通孔７２及び第２吐出孔８２を流通して、泡体が吐出筒部７７の開口部から前記ブラシ領域とは異なる領域に吐出される。
【００６１】
以上説明した本実施形態の吐出器１０によれば、押下ヘッド１４が、ステム１２に対して前記第１吐出位置と前記第２吐出位置との間を移動自在に装着されているので、泡体（内容物）をブラシ１５に吐出することと、押下ヘッド１４をこの吐出器１０に装着した状態のまま、泡体を受け具や手などに直接吐出することと、を選択することが可能である。
【００６２】
すなわち、ブラシ１５を介した吐出である第１吐出位置と、ブラシ１５を介さない吐出である第２吐出位置とを、押下ヘッド１４を吐出器１０から離脱して取り替えるような面倒な操作を伴うことなく、押下ヘッド１４をステム１２に対して移動させるのみの簡単な操作により切り替えることができ、操作性を向上させることができる。
【００６３】
また、ステム１２には第１連通孔７１及び第２連通孔７２が形成されており、押下ヘッド１４が第１吐出位置にあるときは、該押下ヘッド１４の第１吐出孔８１とステム１２の第１連通孔７１とが連通し、押下ヘッド１４が第２吐出位置にあるときは、該押下ヘッド１４の第２吐出孔８２とステム１２の第２連通孔７２とが連通するので、これら押下ヘッド１４やステム１２に複雑な構造（例えば複雑な流路構造など）を採用することなく、簡単な構造で前述の効果を奏することができる。
【００６４】
また、ブラシ１５に泡体を吐出する第１吐出孔８１が、上方に向けて開口されているので、ブラシ１５に吐出された泡体が垂れ落ちるのを抑えることが可能になる。また、第２吐出孔８２が、側方に向けて開口されているので、泡体を受け具や手などに直接吐出しやすい。
【００６５】
また、ステム１２に対して、押下ヘッド１４を前記第１吐出位置又は前記第２吐出位置に位置決めする前記位置決め部が設けられているので、ステム１２に対して押下ヘッド１４を第１吐出位置又は第２吐出位置に切り替える操作がより簡単となる。
【００６６】
また、押下ヘッド１４は、ステム１２に対して当該吐出器１０の軸線Ｏ回りに回転することで、前記第１吐出位置と前記第２吐出位置との間を移動する構成とされているので、前述の作用効果を奏しつつ、吐出器１０をコンパクトに構成でき、かつ、操作性がよい。
【００６７】
また、吐出機構であるポンプ１３が、前記空気用ピストン２２と、前記液用ピストン２３と、前記空気用シリンダ２４と、前記液用シリンダ２５と、前記気液混合室２６と、前記発泡部材５４と、を備えたいわゆる泡吐出用のポンプ機構を採用しており、前述の作用効果が顕著に奏功されることとなる。
【００６８】
また、押下ヘッド１４には、ブラシ１５を覆うようにオーバーキャップ１６が着脱可能に装着されるので、該オーバーキャップ１６を介して押下ヘッド１４を押し下げることで、第２吐出孔８２から泡体を吐出させる際の操作性がより向上する。
また、押下ヘッド１４の操作筒部７５に操作片８０が設けられているので、たとえブラシ１５が露出した状態からこの押下ヘッド１４を押し下げる場合であっても、押し下げ操作が行いやすい。
【００６９】
尚、本発明は前述の実施の形態に限定されるものではなく、本発明の趣旨を逸脱しない範囲において種々の変更を加えることが可能である。
【００７０】
例えば、前述の実施形態では、ブラシ１５が、装着筒部７３の天壁７３ａ上及び頂壁部７４上に植設されて押下ヘッド１４に一体とされている例を用いて説明したが、これに限定されるものではない。具体的に、ブラシ１５を押下ヘッド１４に一体に形成する代わりに、押下ヘッド１４とは別体に形成されたブラシ部材の基部を、該押下ヘッド１４に嵌着固定することとしてもよい。また、このようなブラシ部材を、押下ヘッド１４に着脱可能に装着してもよい。
ここで、図５〜図８に示すものは、前述の実施形態で説明した吐出器１０の変形例である。
【００７１】
図５及び図６に示される例では、装着筒部７３の天壁７３ａと頂壁部７４とが面一とされており、これらが全体として軸線Ｏに垂直な円形板状をなしている。また、頂壁部７４の外周縁には、前述した操作筒部７５が設けられる代わりに、該外周縁から上方に向けてブラシ装着筒部８５が突設されている。
また、ブラシ１５は、ブラシ保持板８６の下面に植設されており、該ブラシ保持板８６の外周縁には下方に向けて筒部８７が突設されている。ブラシ保持板８６の筒部８７は、ブラシ装着筒部８５の上端部内に着脱可能に嵌合している。つまり、ブラシ１５はブラシ保持板８６とともに、押下ヘッド１４に着脱可能に装着されており、該押下ヘッド１４とは別体とされている。
尚、図５は、上ステム２１に対する押下ヘッド１４の前記第２吐出位置を表しており、図６は、上ステム２１に対する押下ヘッド１４の前記第１吐出位置を表している。
【００７２】
また、図７及び図８に示される例では、装着筒部７３の天壁７３ａと頂壁部７４とが面一とされており、これらが全体として椀状をなしている。また、装着筒部７３の天壁７３ａには、前述の拡散カバー７８は設けられておらず、第１吐出孔８１が上方に露出されている。
尚、図７は、上ステム２１に対する押下ヘッド１４の前記第２吐出位置を表しており、図８は、上ステム２１に対する押下ヘッド１４の前記第１吐出位置を表している。
これらの図５〜図８を用いて説明した変形例では、ブラシ１５が押下ヘッド１４に着脱可能に装着されているので、該ブラシ１５による内容物の塗布操作性がより高められ、またブラシ１５の洗浄も簡単である。
【００７３】
また、前述の実施形態では、第１吐出孔８１が上方に向けて開口され、第２吐出孔８２が上下方向に交差する側方に向けて開口されているとしたが、これに限定されるものではない。すなわち、第１吐出孔８１と第２吐出孔８２とは、互いに異なる方向に開口されていればよいことから、例えば、第１吐出孔８１が側方に向けて開口され、第２吐出孔８２が上方に向けて開口されていても構わない。
【００７４】
また、装着筒部７３の周壁７３ｂの前記端面７９と、上ステム２１の規制リブ５９とが周方向に当接可能とされて、前記位置決め部が構成されているとしたが、これに限定されるものではない。すなわち、例えば、装着筒部７３の周壁７３ｂと、上ステム２１の周壁２１ｂとに、凹凸形状からなる係合部と被係合部とを形成することで、ステム１２に対して押下ヘッド１４を前記第１吐出位置又は前記第２吐出位置に位置決め可能な位置決め部を構成してもよい。
また、位置決め部が、設けられていなくてもよい。
また、オーバーキャップ１６、規制部材８、操作片８０は、設けられていなくてもよい。
【００７５】
また、前述の実施形態では、吐出機構として、泡吐出用のポンプ機構を採用したが、これに限られるものではなく、押下ヘッド１４を押し下げてステム１２を下方に移動させ、吐出機構を作動させることや、胴部を圧搾（スクイズ）させることにより、容器本体２内の内容物を泡状にして吐出する他の構成に適宜変更することができる。また、内容物を泡状にして吐出しなくてもよい。
すなわち、吐出機構として、エアゾール機構や、空気用シリンダを備えない液吐出用のポンプ機構などを採用することも可能である。また内容物として、例えば液体、粘性体（ゲル状体）などを採用し、それぞれを泡状にせずに吐出する構成を採用することも可能である。
【００７６】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００７７】
２  容器本体
３  口部
１０  吐出器
１２  ステム
１３  ポンプ（吐出機構）
１４  押下ヘッド
１５  ブラシ
２２  空気用ピストン
２３  液用ピストン
２４  空気用シリンダ
２５  液用シリンダ
２６  気液混合室
５４  発泡部材
５９  規制リブ（位置決め部）
７１  第１連通孔
７２  第２連通孔
７９  端面（位置決め部）
８１  第１吐出孔
８２  第２吐出孔
Ｏ  軸線
【図１】
2014009004.tif 000003
【図２】
2014009004.tif 000004
【図３】
2014009004.tif 000005
【図４】
2014009004.tif 000006
【図５】
2014009004.tif 000007
【図６】
2014009004.tif 000008
【図７】
2014009004.tif 000009
【図８】
2014009004.tif 000010